(57)【特許請求の範囲】
【請求項１】
下階の建物ユニットとその上部に載置された上階の建物ユニットとの内部に形成された吹抜空間内に階段が設けられたユニット建物の階段構造であって、
前記上階の建物ユニットは、一対の長辺側の床大梁と一対の短辺側の床大梁とが略矩形状に組まれ、前記長辺側の床大梁間に複数の床小梁が前記短辺側の床大梁の軸方向に架設されて床フレームが形成され、前記吹抜空間が形成される部分では前記床小梁が省略されており、
前記上階の建物ユニットの前記長辺側の床大梁の内側面から第一フレーム材が前記短辺側の床大梁の軸方向に突出して設けられ、前記吹抜空間に面する位置の前記床小梁の前記吹抜空間側の側面から第二フレーム材が前記長辺側の床大梁の軸方向に突出して設けられ、前記第一フレーム材の先端部と前記第二フレーム材の先端部とが接合されて踊り場の床フレームが形成されており、
前記第二フレーム材が設けられた前記床小梁と隣り合う前記床小梁との側面間が、補強部材により連結されていることを特徴とするユニット建物の階段構造。
【請求項２】
前記補強部材は、前記床小梁間を前記第二フレーム材の延長線上で連結する補強梁であることを特徴とすることを特徴とする請求項１に記載のユニット建物の階段構造。
【請求項３】
前記吹抜空間に面する位置の前記床小梁から立ち上げた支柱によって、腰壁パネルが支持され、落下防止用の腰壁が設けられていることを特徴とする請求項１又は２に記載のユニット建物の階段構造。
【請求項４】
前記支柱は、その内部にボルト孔の位置に合わせてナットがそれぞれ固定して設けられた取付部材を介して、前記吹抜空間に面する位置の前記床小梁の吹抜空間側の側面にボルト止めで固定されていることを特徴とする請求項３に記載のユニット建物の階段構造。
【請求項５】
請求項１乃至４のいずれか１項に記載のユニット建物の階段構造における前記上階の建物ユニットとして用いられる建物ユニットであることを特徴とする建物ユニット。
【請求項６】
請求項５に記載の建物ユニットを備えていることを特徴とするユニット建物。
【発明の詳細な説明】
【技術分野】
【０００１】
本発明は、ユニット建物の階段構造、この階段構造に用いられる建物ユニット、及びこの建物ユニットを備えたユニット建物に関するものである。
【背景技術】
【０００２】
従来から、ユニット建物において、このユニット建物を構成する建物ユニットに形成した吹抜空間内に階段を設けることがなされている（例えば特許文献１，２などを参照）。
【先行技術文献】
【特許文献】
【０００３】
【特許文献１】特開平０５−１７９７１３号公報
【特許文献２】特開２００８−２９１４２５号公報
【発明の概要】
【発明が解決しようとする課題】
【０００４】
従来では、多くの場合、上記した特許文献１のようなユニット建物の階段構造のように、踊り場は、階段が設けられた上階の建物ユニットに隣り合う上階の建物ユニットの床を利用した構成とされている。
【０００５】
しかしながら、こうした構成では、階段からこの階段が設けられた上階の建物ユニット内の居室空間への直接の往来ができない。
【０００６】
これに対し、上記した特許文献２のようなユニット建物の階段構造では、上階の建物ユニット内に踊り場が、この上階の建物ユニットの床の高さ位置に突出して設けられている。
【０００７】
しかしながら、この踊り場は、構造強度を確保するため、通常、この上階の建物ユニットの床を形成する床大梁からフレーム材を突出させて構成されるので、設けられる位置がこの上階の建物ユニットの内隅部に限定されてしまう。
【０００８】
それ故に、やはり、階段からこの階段が設けられた上階の建物ユニット内の居室空間への直接の往来ができない。
【０００９】
ここで仮に、片方のフレーム材を床小梁から突出させて、この踊り場を、この上階の建物ユニットの長手方向の中間部に形成しようとしても、フレーム材が設けられる床小梁がその材軸方向を中心として回転してしまい十分な構造強度を確保することができない。
【００１０】
さらに、この踊り場の突出部を柱で支えて対応しようとしても、ユニット建物では、この上階の建物ユニットの運搬上の制限から、柱を構築するために、現場での複雑な後施工が必要となり、工期を短縮できるという利点を有するユニット建物のせっかくの特長を台無しにしてしまう。
【００１１】
そこで、本発明は、十分な構造強度を有する階段の踊り場を上階の建物ユニットの長手方向の中間部に簡易に形成することができるユニット建物の階段構造、この階段構造に用いられる建物ユニット、及びこの建物ユニットを備えたユニット建物を提供することを目的としている。
【課題を解決するための手段】
【００１２】
前記目的を達成するために、本発明のユニット建物の階段構造は、下階の建物ユニットとその上部に載置された上階の建物ユニットとの内部に形成された吹抜空間内に階段が設けられたユニット建物の階段構造であって、前記上階の建物ユニットは、一対の長辺側の床大梁と一対の短辺側の床大梁とが略矩形状に組まれ、前記長辺側の床大梁間に複数の床小梁が前記短辺側の床大梁の軸方向に架設されて床フレームが形成され、前記吹抜空間が形成される部分では前記床小梁が省略されており、前記上階の建物ユニットの前記長辺側の床大梁の内側面から第一フレーム材が前記短辺側の床大梁の軸方向に突出して設けられ、前記吹抜空間に面する位置の前記床小梁の前記吹抜空間側の側面から第二フレーム材が前記長辺側の床大梁の軸方向に突出して設けられ、前記第一フレーム材の先端部と前記第二フレーム材の先端部とが接合されて踊り場の床フレームが形成されており、前記第二フレーム材が設けられた前記床小梁と隣り合う前記床小梁との側面間が、補強部材により連結されていることを特徴とする。
【００１３】
ここで、前記補強部材は、前記床小梁間を前記第二フレーム材の延長線上で連結する補強梁であるとよい。
【００１４】
また、前記吹抜空間に面する位置の前記床小梁から立ち上げた支柱によって、腰壁パネルが支持され、落下防止用の腰壁が設けられているとよい。
【００１５】
さらに、前記支柱は、その内部にボルト孔の位置に合わせてナットがそれぞれ固定して設けられた取付部材を介して、前記吹抜空間に面する位置の前記床小梁の吹抜空間側の側面にボルト止めで固定されているとよい。
【００１６】
本発明の建物ユニットは、本発明のユニット建物の階段構造における前記上階の建物ユニットとして用いられる建物ユニットであることを特徴とする。
【００１７】
本発明のユニット建物は、本発明の建物ユニットを備えていることを特徴とする。
【発明の効果】
【００１８】
このような本発明のユニット建物の階段構造は、下階の建物ユニットとその上部に載置された上階の建物ユニットとの内部に形成された吹抜空間内に階段が設けられたユニット建物の階段構造である。
【００１９】
そして、上階の建物ユニットは、一対の長辺側の床大梁と一対の短辺側の床大梁とが略矩形状に組まれ、長辺側の床大梁間に複数の床小梁が短辺側の床大梁の軸方向に架設されて床フレームが形成され、吹抜空間が形成される部分では床小梁が省略されている。
【００２０】
さらに、上階の建物ユニットの長辺側の床大梁の内側面から第一フレーム材が短辺側の床大梁の軸方向に突出して設けられ、吹抜空間に面する位置の床小梁の吹抜空間側の側面から第二フレーム材が長辺側の床大梁の軸方向に突出して設けられ、第一フレーム材の先端部と第二フレーム材の先端部とが接合されて踊り場の床フレームが形成されている。
【００２１】
そのうえで、第二フレーム材が設けられた床小梁と隣り合う床小梁との側面間が、補強部材により連結された構成とされている。
【００２２】
こうした構成なので、第二フレーム材が設けられる床小梁がその材軸方向を中心として回転しないように補強部材により補強されるため、十分な構造強度を有する階段の踊り場を上階の建物ユニットの長手方向の中間部に簡易に形成することができる。
【００２３】
ここで、補強部材が、床小梁間を第二フレーム材の延長線上で連結する補強梁である場合は、少ない部材で床小梁を補強できるので、安価に実施することができる。
【００２４】
また、吹抜空間に面する位置の床小梁から立ち上げた支柱によって、腰壁パネルが支持され、落下防止用の腰壁が設けられている場合は、吹抜空間に面する位置の床小梁が補強部材により補強されているので、落下防止用の腰壁を高い強度で且つ安定した状態で設けることができる。
【００２５】
さらに、支柱は、その内部にボルト孔の位置に合わせてナットがそれぞれ固定して設けられた取付部材を介して、吹抜空間に面する位置の床小梁の吹抜空間側の側面にボルト止めで固定されている場合は、支柱を、吹抜空間に面する位置の床小梁から容易に立ち上げた状態として設けることができる。
【００２６】
このような本発明の建物ユニットは、本発明のユニット建物の階段構造における上階の建物ユニットとして用いられる建物ユニットである構成とされている。
【００２７】
こうした構成なので、工場などで、この上階の建物ユニットに、第一フレーム材と第二フレーム材及び補強部材を予め設けておけば、ユニット建物の施工性をより高めることができる。
【００２８】
このような本発明のユニット建物は、本発明の建物ユニットを備えた構成とされている。
【００２９】
こうした構成なので、本発明のユニット建物の階段構造の上記した効果を享受したユニット建物を構築することができる。
【図面の簡単な説明】
【００３０】
【図１】実施例１のユニット建物の概略構成を示す説明図である。
【図２】図１のＡ−Ａ線矢視拡大断面図であって、実施例１のユニット建物の階段構造の概略構成を示す説明図である。
【図３】長辺側の床大梁と床小梁との接合部を示す部分拡大図である。
【図４】長辺側の床大梁と第一フレーム材との接合部を示す部分拡大図である。
【図５】床小梁と第二フレーム材との接合部を示す部分拡大図である。
【図６】第一フレーム材と第二フレーム材との接合部を示す部分拡大図である。
【図７】補強梁の床小梁間での接合状態を示す部分拡大図である。
【図８】実施例２のユニット建物の階段構造の概略構成を示す説明図である。
【図９】床小梁と支柱との接合部を示す部分拡大図である。
【図１０】図９のＢ−Ｂ線矢視断面図である。
【図１１】図９のＣ−Ｃ線矢視断面図である。
【発明を実施するための形態】
【００３１】
以下、本発明を実施するための形態を、図面に示す実施例１，２に基づいて説明する。
【実施例１】
【００３２】
先ず、実施例１の構成について説明する。
【００３３】
図１は、実施例１のユニット建物Ｕ１の概略構成を示している。
【００３４】
このユニット建物Ｕ１は、基礎１Ｂ上に、下階の建物ユニットとしての１階の建物ユニット１ｂと、上階の建物ユニットとしての２階の建物ユニット１ａとが組み付けられて、建物本体１Ａが構築されている。
【００３５】
ここで、１階の建物ユニット１ｂと２階の建物ユニット１ａとは、短辺側の長さが略２５００ｍｍで、長辺側の長さが略５４００ｍｍの建物ユニットである。
【００３６】
また、建物本体１Ａを構成する１階の建物ユニット１ｂと２階の建物ユニット１ａの内部には、図２に示したように、吹抜空間２が連通して形成されている。
【００３７】
ここで、この吹抜空間２を形成するために、１階の建物ユニット１ｂでは、図示は省略したが、一対の長辺側の溝型鋼の天井大梁と一対の短辺側の溝型鋼の天井大梁とが溶接により剛接合されて略矩形状に組まれ、長辺側の天井大梁間に取付片を介して溶接により剛接合され複数架設されて天井フレームを形成する角型鋼の天井小梁のうち、吹抜空間２に対応する位置の天井小梁が省略されている。
【００３８】
また、２階の建物ユニット１ａでは、図２に示したように、一対の長辺側の溝型鋼の床大梁３Ａ，３Ａと一対の短辺側の溝型鋼の床大梁３Ｂ，３Ｂとが溶接により剛接合されて略矩形状に組まれ、長辺側の床大梁３Ａ，３Ａ間に取付片３１を介して溶接により剛接合され複数架設されて床フレームを形成する床小梁４，・・・のうち、吹抜空間２に対応する位置の床小梁４が省略されている（図３も参照）。
【００３９】
そして、２階の建物ユニット１ａの長辺側の床大梁３Ａの内側から取付片３１を介して角型鋼の第一フレーム材５が短辺側の床大梁３Ｂの軸方向に突出するように溶接により剛接合されて設けられ（図４も参照）、吹抜空間２に面する位置の床小梁４の吹抜空間２側の側面から角型鋼の第二フレーム材６が長辺側の床大梁３Ａの軸方向に突出するように溶接により剛接合されて設けられ（図５も参照）、第一フレーム材５の先端部と第二フレーム材６の先端部とが溶接により剛接合されて（図６も参照）、踊り場７の床フレームが形成されている。
【００４０】
さらに、この実施例１のユニット建物の階段構造では、第二フレーム材６が設けられた床小梁４と隣り合う床小梁４との側面間が、第二フレーム材６の延長線上において、補強部材としての角型鋼の補強梁８の両端部が溶接により剛接合されることによって連結されている（図７も参照）。
【００４１】
そのうえで、第一フレーム材５及び第二フレーム材６の上面と、床小梁４，・・・の上面とに、二点鎖線で示した床面材９が貼設され、踊り場７と２階の床１０とが形成されている。
【００４２】
そして、踊り場７と１階の床１１との間には、破線で示したように、中間踊り場を有する階段としての折り返し階段Ｋが設けられており、１階と２階との間が往来可能とされている。
【００４３】
なお、折り返し階段Ｋは、１階の建物ユニット１ｂに、工場などで予め取り付けておいてもよい。
【００４４】
こうしておけば、現場での階段構造の主たる構築作業は、踊り場７と折り返し階段Ｋの上端部との繋ぎ作業だけで済む。
【００４５】
次に、実施例１の作用効果について説明する。
【００４６】
このような実施例１のユニット建物の階段構造は、下階の建物ユニットとしての１階の建物ユニット１ｂとその上部に載置された上階の建物ユニットとしての２階の建物ユニット１ａとの内部に形成された吹抜空間２内に階段としての折り返し階段Ｋが設けられたユニット建物Ｕ１の階段構造である。
【００４７】
そして、２階の建物ユニット１ａは、一対の長辺側の床大梁３Ａ，３Ａと一対の短辺側の床大梁３Ｂ，３Ｂとが略矩形状に組まれ、長辺側の床大梁３Ａ，３Ａ間に複数の床小梁４，・・・が短辺側の床大梁３Ｂの軸方向に架設されて床フレームが形成され、吹抜空間２が形成される部分では床小梁４が省略されている。
【００４８】
さらに、２階の建物ユニットの長辺側の床大梁３Ａの内側面から第一フレーム材５が短辺側の床大梁３Ｂの軸方向に突出して設けられ、吹抜空間２に面する位置の床小梁４の吹抜空間２側の側面から第二フレーム材６が長辺側の床大梁３Ａの軸方向に突出して設けられ、第一フレーム材５の先端部と第二フレーム材６の先端部とが接合されて踊り場７の床フレームが形成されている。
【００４９】
そのうえで、第二フレーム材６が設けられた床小梁４と隣り合う床小梁４との側面間が、補強部材としての補強梁８により連結された構成とされている。
【００５０】
こうした構成なので、第二フレーム材６が設けられる床小梁４がその材軸方向を中心として回転しないように補強部材としての補強梁８により補強されるため、十分な構造強度を有する階段としての折り返し階段Ｋの踊り場７を２階の建物ユニット１ａの長手方向の中間部に簡易に形成することができる。
【００５１】
ここで、補強部材は、床小梁４，４間を第二フレーム材６の延長線上で連結する補強梁８である。
【００５２】
このため、少ない部材で床小梁４を補強できるので、安価に実施することができる。
【００５３】
このような実施例１の２階の建物ユニット１ａは、上記した構造とされ、実施例１のユニット建物Ｕ１に用いられる構成とされている。
【００５４】
こうした構成なので、工場などで、この２階の建物ユニット１ａに、第一フレーム材５と第二フレーム材６及び補強部材としての補強梁８を予め設けておけば、ユニット建物Ｕ１の施工性をより高めることができる。
【００５５】
このような実施例１のユニット建物Ｕ１は、実施例１の２階の建物ユニット１ａを備えた構成とされている。
【００５６】
こうした構成なので、実施例１のユニット建物の階段構造の上記した作用効果を享受したユニット建物Ｕ１を構築することができる。
【実施例２】
【００５７】
次に、実施例２について説明する。
【００５８】
なお、実施例１で説明した内容と同一乃至均等な部分の説明については同一符号を付して説明する。
【００５９】
図８は、実施例２のユニット建物の階段構造の概略構成を示している。
【００６０】
この実施例２のユニット建物の階段構造では、吹抜空間２に面する位置の床小梁４の吹抜空間２側の側面から立ち上げた支柱１３によって、腰壁パネル１２Ａ，１２Ａが支持され、落下防止用の腰壁１２が設けられていることが実施例１のユニット建物の階段構造と主に異なる。
【００６１】
ここで、支柱１３は、その下端部が、図９及び図１０に示したように、この支柱１３のボルト孔１３ａ，１３ａ及び床小梁４の吹抜空間２側の側面に溶接により固定された取付部材１４のボルト孔１４ａ，１４ａにボルト１５，１５を螺合して設けられている。
【００６２】
この取付部材１４は、その内部にボルト孔１４ａ，１４ａの位置に合わせてナット１６がそれぞれ固定して設けられたものであり、これにより、支柱１３が床小梁４に強固に固定されている。
【００６３】
このため、支柱１３を、吹抜空間２に面する位置の床小梁４から容易に立ち上げた状態として設けることができる。
【００６４】
また、支柱１３を設ける部分を除いた床小梁４の吹抜空間２側の側面には、図１１に示したように、横桟材１７がスクリュー釘１８，・・・により固定されて設けられており、床下地材９１及び床仕上げ材９２から成る床面材９の延長部分を支持しており、さらに、この床面材９の延長部分は、腰壁パネル１２Ａの下面を支持している。
【００６５】
そのうえで、腰壁パネル１２Ａ，１２Ａは、その内側端部が、図９に示したように、支柱１３のリップ部に締結部材としてのネジ１９，・・・により固定されており、その外側端部は、図８に示したように、一方のものは、第二フレーム材６の端部に立設した縦桟材２０に固定され、他方のものは、図示省略の内壁に固定されている。
【００６６】
このため、支柱１３に腰壁パネル１２Ａ，１２Ａを支持させて落下防止用の腰壁１２を容易に設けることができる。
【００６７】
さらに、吹抜空間に面する位置の床小梁４が補強部材としての補強梁８により補強されているので、落下防止用の腰壁１２を高い強度で且つ安定した状態で設けることができる。
【００６８】
なお、他の構成及び作用効果については、実施例１と略同様であるので説明を省略する。
【００６９】
以上、図面を参照して、本発明を実施するための形態について実施例１，２をもとに詳述してきたが、具体的な構成は、上記した実施例１，２に限らず、本発明の要旨を逸脱しない程度の設計的変更は、本発明に含まれる。
【００７０】
例えば、上記実施例１，２では、ユニット建物Ｕ１を、説明が簡単なように、単純な２階建てとしたが、これに限定されず、より複雑な構成で実施してもよい。
【００７１】
また、上記実施例１，２では、階段として折り返し階段Ｋを設けて実施したが、これに限定されず、例えば、直線階段などで実施してもよい。
【００７２】
さらに、上記実施例１，２では、床小梁４，４間を補強する補強部材として、補強梁８を用いて実施したが、これに限定されず、例えば、複数の補強梁を用いたり、ブレース材を用いたりして実施してもよい。
【００７３】
また、上記実施例１，２では、吹抜空間２に面する位置の床小梁４として、他の床小梁４と同様に角型鋼を用いて実施したが、これに限定されず、例えば、より強度の小さい溝型鋼などを用いて実施してもよい。
【００７４】
さらに、上記実施例１，２では、踊り場７の床面材９の下面を補強せずに実施したが、これに限定されず、横桟材などで補強して実施してもよい。
【符号の説明】
【００７５】
Ｕ１    ユニット建物
１Ａ    建物本体
１Ｂ    基礎
１ａ    ２階の建物ユニット（上階の建物ユニット）
１ｂ    １階の建物ユニット（下階の建物ユニット）
２      吹抜空間
３Ａ    長辺側の床大梁
３Ｂ    短辺側の床大梁
３１    取付片
４      床小梁
５      第一フレーム材
６      第二フレーム材
７      踊り場
８      補強梁（補強部材）
９      床面材
９１    床下地材
９２    床仕上げ材
１０    ２階の床
１１    １階の床
１２    腰壁
１２Ａ  腰壁パネル
１３    支柱
１３ａ  ボルト孔
１４    取付部材
１４ａ  ボルト孔
１５    ボルト
１６    ナット
１７    横桟材
１８    スクリュー釘
１９    ネジ（締結部材）
２０    縦桟材
Ｋ      折り返し階段（階段）
【図１】
0005645750.tif 000002
【図２】
0005645750.tif 000003
【図３】
0005645750.tif 000004
【図４】
0005645750.tif 000005
【図５】
0005645750.tif 000006
【図６】
0005645750.tif 000007
【図７】
0005645750.tif 000008
【図８】
0005645750.tif 000009
【図９】
0005645750.tif 000010
【図１０】
0005645750.tif 000011
【図１１】
0005645750.tif 000012